(57)【要約】【課題】太陽電池モジュールを備えて構成される庇用太陽電池モジュールユニットにおいて、太陽電池モジュール上に積もる雪の落下を防止し、積雪の自然溶解が図れる構成の庇用太陽電池モジュールユニットを提供する。【解決手段】建物に傾斜して取付けられ、太陽電池モジュール１３を庇の一部として備える。太陽電池モジュール１３の室外側に設けられる下枠材１５に、上方に突出して太陽電池モジュール１３上に溜まる雪の落下を防ぐ立上げ片４０ｄを設ける。【選択図】図７
2014136917.tif 000002
【特許請求の範囲】
【請求項１】
建物に傾斜して取付けられ、太陽電池モジュールを庇の一部として備えたものであって、
太陽電池モジュールの室外側に設けられる下枠材に、上方に突出して太陽電池モジュール上に溜まる雪の落下を防ぐ立上げ片を設けたことを特徴とする庇用太陽電池モジュールユニット。
【請求項２】
請求項１に記載の庇用太陽電池モジュールユニットにおいて、
前記下枠材における太陽電池モジュール嵌合部より室外側であって、前記嵌合部の上面より低い位置に雪溜め部を設け、その雪溜め部の室外側に前記立上げ片を設けたことを特徴とする太陽電池モジュールユニット。
【請求項３】
請求項１または２に記載の庇用太陽電池モジュールユニットにおいて、
前記下枠材における前記立上げ片の根本部に、雪解け水の水抜き孔を設けたことを特徴とする太陽電池モジュールユニット。
【請求項４】
請求項１から３までのいずれか１項に記載の庇用太陽電池モジュールユニットにおいて、
前記立上げ片を有する補助枠材を、前記太陽電池モジュールの下枠材と別体に構成し、前記補助枠材を前記下枠材に組み付ける構造としたことを特徴とする庇用太陽電池モジュールユニット。
【発明の詳細な説明】
【技術分野】
【０００１】
本発明は、建物の外壁に庇として設置される太陽電池モジュールユニットに係わり、特にビルの外壁に庇として取付ける場合に好適なものに関する。
【背景技術】
【０００２】
庇に太陽電池モジュールを取付けたものとして、例えば特許文献１に記載のように、カーテンウォールに設ける庇に太陽電池モジュールを取付けたものがある。
【先行技術文献】
【特許文献】
【０００３】
【特許文献１】特開２０００−２９７４９７号公報
【発明の概要】
【発明が解決しようとする課題】
【０００４】
しかしながら、このような従来構造によると、太陽電池モジュール上に雪が積もった場合、この雪が地上に落下するおそれがある。そこで、太陽電池モジュール上に雪が積もらないようにするため、庇の傾斜を大きくして少量の積雪の状態でも雪が自動的に落下させることが考えられる。しかし庇の傾斜を大きくすると、庇を折曲形状のブラケットを介して取付ける場合、ブラケットの折曲角度が大きくなり、建物に取付ける場合の取付け作業が困難となるため、庇の傾斜角度をあまり大きくとることはできず、やはり庇上の積雪の落下の問題を解決することは難しい。
【０００５】
本発明は、上記問題点に鑑み、太陽電池モジュールを備えて構成される庇用太陽電池モジュールユニットにおいて、太陽電池モジュール上に積もる雪の落下を防止し、積雪の自然溶解が図れる構成の庇用太陽電池モジュールユニットを提供することを目的とする。
【課題を解決するための手段】
【０００６】
請求項１の庇用太陽電池モジュールユニットは、建物に傾斜して取付けられ、太陽電池モジュールを庇の一部として備えたものであって、
太陽電池モジュールの室外側に設けられる下枠材に、上方に突出して太陽電池モジュール上に溜まる雪の落下を防ぐ立上げ片を設けたことを特徴とする。
【０００７】
請求項２の庇用太陽電池モジュールユニットは、請求項１に記載の庇用太陽電池モジュールユニットにおいて、
前記下枠材における太陽電池モジュール嵌合部より室外側であって、前記嵌合部上面より低い位置に雪溜め部を設け、その雪溜め部の室外側に前記立上げ片を設けたことを特徴とする。
【０００８】
請求項３の庇用太陽電池モジュールユニットは、請求項１または２に記載の庇用太陽電池モジュールユニットにおいて、
前記下枠材における前記立上げ片の根本部に、雪解け水の水抜き孔を設けたことを特徴とする。
【０００９】
請求項４の庇用太陽電池モジュールユニットは、請求項１から３までのいずれか１項に記載の庇用太陽電池モジュールユニットにおいて、
前記立上げ片を有する補助枠材を、前記太陽電池モジュールの下枠材と別体に構成し、前記補助枠材を前記下枠材に組み付ける構造としたことを特徴とする。
【発明の効果】
【００１０】
請求項１の発明によれば、太陽電池モジュールの下枠材の室外側に立上げ片を設けたので、この立上げ片によってモジュール上に溜まる雪の落下を防止することができる。
【００１１】
請求項２の発明によれば、下枠材の太陽電池モジュール嵌合部と立上げ片との間に、嵌合部上面より低い雪溜め部を設けたので、雪をその雪溜め部に溜めておくことができ、雪落下の防止作用をさらに促進することができる。また、立上げ片の高さを高くする必要が無くなるため、庇としての外観を向上させることができる。
【００１２】
請求項３の発明によれば、下枠材における立上げ片の根本部に、雪解け水の水抜き孔を設けたので、庇に歪みや捻れが存在しても、下枠材上に水が溜まることが防止され、水溜まりによって生じる塵埃集積による汚れを防止することができる。
【００１３】
請求項４の発明によれば、積雪地帯にのみ立上げ片を含む補助枠材を下枠材に取付ければよいため、立上げ片を下枠材の一部として形成した場合に比較し、無駄が生じることがない。
【図面の簡単な説明】
【００１４】
【図１】本発明の太陽電池モジュールユニットの一実施の形態を示すビルの斜視図である。
【図２】図１の部分拡大図である。
【図３】本実施の形態の太陽電池モジュールユニットをビルの庇としてカーテンウォールの縦枠に取付けた状態を示す縦断面図である。
【図４】図３の部分拡大図である。
【図５】本実施の形態の太陽電池モジュールユニットをビルの庇としてカーテンウォールに取付けた状態を示す横断面図である。
【図６】（Ａ）は本実施の形態の太陽電池モジュールユニットを示す平面図、（Ｂ）は（Ａ）のＹ矢視図である。
【図７】（Ａ）は図６（Ｂ）のＦ−Ｆ拡大断面図、（Ｂ）はユニットの上側部分を示す拡大断面図である。
【図８】本実施の形態のユニットの下側部分の拡大断面図である。
【図９】（Ａ）、（Ｂ）はそれぞれモジュールの上下端部の枠体との嵌合部の拡大断面図である。
【図１０】本実施の形態の太陽電池モジュールユニットの組立工程図である。
【図１１】図５の部分拡大断面図である。
【図１２】図３のＥ−Ｅ拡大断面図である。
【図１３】本実施の形態の太陽電池モジュールユニットをカーテンウォールの横枠に取付けた状態を示す縦断面図である。
【発明を実施するための形態】
【００１５】
図１は本発明の太陽電池モジュールユニット１の適用例を示すビルの斜視図、図２はその部分拡大図である。図１、図２に示すように、太陽電池モジュールユニット１は、庇の役目も果たすものであり、ビルの外壁を構成するカーテンウォール２に取付けられるものである。図１に示すように、各階において、各カーテンウォール２ごとに複数枚のユニット１が横並びに取付けられ、隣接して配置されるユニット１のケーブルどうしを直列に接続し、ビルの片側等に縦に配線するケーブル３を通して各階のユニットどうしが接続されるとともに、１グループとなる複数階に共通のケーブル３も配線され、全体として太陽電池モジュールの直流出力がビル内に設置したパワーコンディショナー４に集約され、ここで直流を交流に変換する等の処理を行なう。
【００１６】
カーテンウォール２には、予め工場においてカーテンウォールがユニットとして組まれて施工現場において互いに外壁として躯体に取付けられるユニット式カーテンウォールと、施工現場においてカーテンウォールとして組立てられるノックダウン方式のものとがあるが、本例ではノックダウン方式のものを示している。このカーテンウォール２は、鉄筋コンクリート製床５等の躯体にブラケット１２を介して取付けられる（図５の横断面図参照）。
【００１７】
図２に示すように、このカーテンウォール２の枠体は、隣接する縦枠６，６の間に各階対応の横枠７と、上下の横枠７，７間の横枠８とを備える。そして、左右の縦枠６，６と、中間の横枠８と、その下の横枠７で囲まれた枠内にペアガラス９が組み込まれて光透過壁を構成し（図３の縦断面図参照）、左右の縦枠６，６と、中間の横枠８と、その上の横枠７とで囲まれた枠内にガラスパネル１０と耐火ボード１１とが組み込まれて遮光壁を構成する（図３、図５参照）。縦枠６と横枠７，８はいずれも金属製押出形材でなる。
【００１８】
図６（Ａ）はユニット１を示す平面図、図６（Ｂ）は図６（Ａ）のＹ矢視図である。また、図７（Ａ）は図６（Ｂ）のＦ−Ｆ断面図、図７（Ｂ）は図７（Ａ）の部分拡大図である。また、図８は図７（Ｂ）に示すモジュール端部の反対側の端部を示す拡大断面図、図９（Ａ）、（Ｂ）はそれぞれモジュール両端部のテーパー部を示す部分拡大図である。このユニット１は、図６（Ａ）に示すように、太陽電池モジュール１３を、ケーブル引き出し側となる一端部の枠材１４（以下の説明ではこの枠材１４を上枠材と称す。）と、その反対側の枠材１５（以下これを下枠材と称す。）と、左右の縦枠材１６，１６とで組まれたユニット枠１７で囲んで構成される。これらの枠材１４〜１６はいずれも押出形材でなる。
【００１９】
太陽電池モジュール１３は、図６（Ａ）、図７（Ａ）、（Ｂ）に示すように、縦横に配列された複数の発電素子１９を含む樹脂層２０を表裏面のガラスパネル２１Ａ，２１Ｂで挟んで一体化し、その上側端面に端子板２２Ａ，２２Ｂおよびダイオード２５を固着すると共に、各端子板２２Ａ，２２Ｂにそれぞれケーブル２３Ａ，２３Ｂを介して接続されたコネクタ２４Ａ，２４Ｂを備えたものである。ダイオード２５は、互いに直列に接続される複数の発電素子１９のうち、発電しない素子についてはバイパス回路を構成して発電している素子のみの発電電圧を外部に導くために設けられたものである。
【００２０】
本実施の形態においては、ユニット枠１７を構成する上枠材１４は、図７（Ａ）、（Ｂ）に示すように、太陽電池モジュール１３の裏面側に位置させる第１の枠材２６と、この第１の枠材２６に組合わされて太陽電池モジュール１３の表面側を押さえる第２の枠材２７とにより構成する。そして、第１の枠材２６と第２の枠材２７との間に太陽電池モジュール１３の上端部に嵌合する嵌合溝２８を形成する。この嵌合溝２８は、端子板２２Ａ，２２Ｂおよびダイオード２５を収容するスペースを有する。
【００２１】
第１の枠材２６と第２の枠材２７には互いにこれらを組み合わせるための係合部２６ａ，２６ｂおよび２７ａ，２７ｂを設ける。また、これらの第１の枠材２６、第２の枠材２７には、縦枠１６をタッピングねじ３０，３１（図６（Ａ）参照）をねじ込んで固定するためのタッピングホール２６ｃ，２７ｃを設ける。同様に、図８に示すように、下枠材１５にもモジュール１３の嵌合溝３８を形成し、この嵌合溝３８の奥部にセッティングブロック２９を嵌め、モジュール１３の下端面をこのセッティングブロック２９に当接させて嵌合溝３８にモジュール１３を嵌合する。この下枠材１５には縦枠材１６をタッピングねじ３２，３３（図６（Ａ）参照）をねじ込んで固定するためのタッピングホール１５ａ，１５ｂを設ける。
【００２２】
図６（Ａ）、図７（Ｂ）に示すように、第２の枠材２７にはコネクタ２４Ａ，２４Ｂに接続されるケーブル２３Ａ，２３Ｂをそれぞれ通す孔２７ｄを設ける。また、この第２の枠材２７にはコネクタ２４Ａ，２４Ｂに接続されたケーブル２３Ａ，２３Ｂや、同じ階について共通に設けられる戻りケーブル２３Ｃ（同階について互いに直列に接続されたユニット１のうち、最も端部となるユニット１からビルの反対側の端部に導かれるケーブル）を載せるケーブル載置部２７ｅを備える。また、第２の枠材２７には、このユニット１をカーテンウォール２の横枠８に後述のブラケット３４（図１３参照）を介して取付けるためのブラケット取付け溝２７ｆ，２７ｇを備える。
【００２３】
第１の枠材２６には、図４に示すように、カーテンウォール２への取付けブラケット３５にボルト３６によってユニット１を固定するため、ボルト３６の頭部３６ａを嵌め込む取付け溝２６ｄを設ける。また、縦枠材１６には、ユニット１を前記ブラケット３５に固定するためのボルト３９の頭部３９ａを嵌める取付け溝１６ａを設ける。
【００２４】
図７（Ｂ）、図８に示すように、太陽電池モジュール１３の上側端部および下側端部の表裏面には、横幅方向の全長にわたり、ユニット枠１７との間の水密性を確保して、ガラスパネル２１Ａ，２１Ｂ間への水の浸入を防止するためのシールテープ３７を添付する。そして、上枠材１４の嵌合溝２８と下枠材１５の嵌合溝３８をシールテープ３７を介して太陽電池モジュール１３の上側端部、下側端部に嵌合する。
【００２５】
図９（Ａ）に示すように、上枠材１４に設けた嵌合溝２８の開口端側には、それぞれ第１の枠材２６の傾斜面２６ｅと第２の枠材２７に設けた傾斜面２７ｈとにより、先端側の開口幅を大きくしたテーパー部を形成する。また、図９（Ｂ）に示すように、下枠材１５に設けた嵌合溝３８の開口端側にも、それぞれ傾斜面１５ｃ，１５ｄにより、先端側の開口幅を大きくしたテーパー部を形成する。
【００２６】
図６（Ａ）、図７（Ａ）において、４０は下枠材１５の一部として、下枠材１５の全長にわたって付加的に取付けられる押出形材でなる補助枠材である。この補助枠材４０は、ユニット１上に積もる雪の落下を防ぐために必要に応じて設けられるものである。この補助枠材４０は、図８に示すように、下枠材１５の室外側端面に形成した係合部１５ｅ，１５ｆに補助枠材４０に設けた係合部４０ａ，４０ｂを係止させ、タッピングねじ等の固定具４１によって係合部４０ａ，１５ｄどうしを結合することにより下枠材１５に固定する。
【００２７】
この補助枠材４０は下枠材１５のモジュール嵌合部上面より低い位置に板状部４０ｃを備えると共に、この板状部４０ｃの室外側に雪の落下防止用の立上げ片４０ｄを備える。また、板状部４０ｃの室外側である立ち上げ片４０ｄの根本部には、図６（Ａ)に示すように複数の水抜き孔４０ｅを分散して設ける。このように水抜き孔４０ｅを分散して配設する理由は、補助枠材４０に捻れや曲りがあっても補助枠材４０上のどの箇所にも水が残留しないようにするためである。この水抜き孔４０ｅを通って中空部４０ｆに入った水は補助枠材４０の両端から流下する構成を有する。
【００２８】
なお、中空部４０ｆに流下した水を抜く孔を補助枠材４０の下端部に設けてもよい。また、この補助枠材４０の下端部に設ける孔は、雪溜め部４０ｃに設ける水抜き孔４０ｅの真下に設けるのではなく、水抜き孔４０ｅに対して千鳥状となるように設ければ、風が孔を通過する際に生じる音のレベルを低減させることができる。
【００２９】
図１０にこのユニット１の組立工程を示す。図１０（Ａ）に示すように、太陽電池モジュール１３にはその上側端部、下側端部の表裏面にそれぞれ全長にわたって両面テープでなるシールテープ３７を添付しておく。また、第２の枠材２７の孔２７ｄ，２７ｄに、モジュール１３のコネクタ２４Ａ，２４Ｂおよび各コネクタ２４Ａ，２４Ｂに接続されたケーブル２３Ａ，２３Ｂを通しておく。
【００３０】
続いて図１０（Ｂ）に示すように、第１の枠材２６と第２の枠材２７とを図７で示したように組み合わせる。また、図９に示したように、予め補助枠材４０に下枠材１５に取付けておき、下枠材１５の嵌合溝３８を、モジュール１３の下側端部にシールテープ３７を介して押し嵌めする。また、図１０（Ｃ）に示すように、第１の枠材２６と第２の枠材２７を組み合わせて構成した上枠材１４の嵌合溝２８を、モジュール１３の上側端部にシールテープ３７を介して押し嵌めする。その後、左右の縦枠材１６を、上枠材１４と下枠材１５にそれぞれタッピングねじ３０，３１および３２，３３によって結合する。
【００３１】
なお、図１０（Ｂ）、（Ｃ）に示すように、ケーブル２３Ａ，２３Ｂを第２の枠材２７の孔２７ｄに通した後、ケーブル２３Ａ，２３Ｂに孔２７ｄを塞ぐ蓋４３を取付けておき、縦枠材１６の組み付けが完了した後にこの蓋４３で孔２７ｄを塞いで水密性を保つ。この蓋４３は可撓性を有する材料でなり、ケーブル２３Ａ，２３Ｂに嵌めるための切り込みを有すると共に、孔２７ｄに嵌める部分を有するもので、この蓋４３にゴムでなる締め付け材を被せることにより、切り込み部分が閉塞され、ケーブル２３Ａ，２３Ｂに固定されるものである。
【００３２】
図１１はユニット取付け用ブラケット３５のカーテンウォール２の縦枠６に対する取付け構造を示す平面図であり、この図１１と図４に示すように、縦枠６にはその室外側端部にユニット取付けのために左右に延出させた取付け板部６ａを有し、この取付け板部６ａにそれぞれブラケット３５を取付けるためのボルト４５を挿通する貫通孔６ｂを設ける。ブラケット３５は縦板部３５ａとその上端から先端側が下がるように傾斜させたユニット取付け板部３５ｂとを備えた曲成板でなる。そして縦板部３５ａにボルト４５を挿通する貫通孔３５ｃを設けると共に、ユニット取付け板部３５ｂにユニット取付けのためのボルト３６，３９をそれぞれ挿通するための貫通孔３５ｄ，３５ｅを設ける。
【００３３】
そして、図４および図１１に示すように、縦枠６の取付け板部６ａに設けた貫通孔６ｂおよびブラケット３５に設けた貫通孔３５ｃにボルト４５を通し、ボルト４５にナット４６を螺合して締結することにより、ブラケット３５を縦枠６に固定する。その後、図４に示すように、ユニット１の第１の枠材２６の取付け溝２６ｄに頭部３６ａを嵌めたボルト３６をブラケット３５の貫通孔３５ｄに通すと共に、図１２にも示すように、ユニット１の縦枠材１６の取付け溝１６ａに頭部３９ａを嵌めたボルト３９をブラケット３５の貫通孔３５ｅに通し、それぞれボルト３６，３９にナット４７，４８を螺合して締結することにより、ユニット１の端部を縦枠６に固定する。このような作業をユニット１の両端について行なうことにより、ユニット１がカーテンウォール２の外壁に取付けられる。
【００３４】
図４において、５０はユニット１の上枠材１４とカーテンウォール２の外壁との間の隙間を覆ために、横枠８に取付けた押出形材でなるカバーである。５１はこのカバー５０を横枠８に取付けるため、横枠８の室外側端部にねじ等の固定具５２により取付けた押出形材でなる取付け板である。カバー５０はこの取付け板５２にねじ等の固定具５３により固定する。このカバー５０は上枠材１４とカーテンウォール２の外壁との間を覆う幅を有し、カバー５０の室外側端部には水のカバー５０内への浸入を防止するシール材５４を設ける。このカバー５０は第２の枠材２７のケーブル載置部２７ｅ上のケーブル２３Ｃやコネクタ２４Ａ，２４Ｂを覆って保護する。
【００３５】
上記例においては、ユニット１をカーテンウォール２の縦枠６に取付けたが、図１３に示すように、このユニット１を横枠８に取付けるようにしてもよい。この横枠８へのユニット１の取付けのためのブラケット３４は短手方向の断面形状が略Ｕ字形を有する。そして、第２の枠材２７の室内側の上下に設けた取付け溝２７ｆ、２７ｇにブラケット３４の取付け板部３４ａの上下端を嵌合すると共に、ねじ等の固定具５５によりこのブラケット３４を第２の枠材２７に固定して取付ける。一方、横枠８の室外側端部には、このブラケット３４を固定するボルト５６の頭部５６ａを嵌める取付け溝８ａを設け、このボルト５６をブラケット３４の縦板部３４ｂに設けた貫通孔３４ｃに通し、このボルト５６にナット５７を螺合し締結することにより、ユニット１を横枠８に取付ける。カバー５０は横枠８に設けた取付け板部８ｂに係合させて固定具５３により固定して取付ける。
【００３６】
図１３に示すように、横枠８にユニット１を取付ける構成とすれば、ユニット１の左右の幅が縦枠６，６間の幅に達しない場合であっても、ユニット１の取付けが可能になるという利点がある。なお、本実施の形態においては、このブラケット３４の長さを、図６（Ａ）に示した孔２７ｄ，２７ｄの間隔より短く形成し、ブラケット３４は第２の枠材２７の孔２７ｄ，２７ｄの間に位置するように取付け溝２７ｆ，２７ｇに予め嵌着しておく。これにより、ブラケット３４にはコネクタ２４Ａ，２４Ｂを通す孔等を加工する必要がなくなり、加工費を削減できる。ユニット１を取付ける横枠は、この実施の形態のように中間の横枠８とするのではなく、各階のフロアに対応した横枠７としてもよい。
【００３７】
以上に説明したように、本実施の形態のユニット１は、太陽電池モジュール１の下枠材１５の室外側に立上げ片４０ｄを設けたので、この立上げ片４０ｄによってモジュール１３上に溜まる雪の落下を防止することができる。また、図３、図４に示したように縦枠６にユニット１を取付ける場合、ユニット１の取付け角度、すなわちユニット１の取付け板部３５ｂの角度を例えば４５度以上の角度にして積雪を防止する必要がなくなるので、ナット４６，４７，４８による取付け作業が容易となる。
【００３８】
また、下枠材１５の太陽電池モジュール嵌合部と立上げ片４０ｄとの間に、下枠材１５のモジュール嵌合部上面より低い雪溜め部４０ｃを設けたので、雪をその雪溜め部４０ｄに溜めておくことができ、雪落下の防止作用をさらに促進することができる。また、立上げ片４０ｄの高さを高くする必要が無くなるため、庇としての外観を向上させることができる。
【００３９】
また、下枠材１５における立上げ片４０ｄの根本部に、雪解け水排水用の水抜き孔４０ｅを設けたので、庇に歪みや捻れが存在しても、下枠材１５上に水が溜まることが防止され、水溜まりによって生じる塵埃集積による汚れを防止することができる。
【００４０】
また、本発明を実施する場合、立上げ片４０ｄや雪溜め部４０ｃは下枠材１５と一体に形成してもよいが、本実施の形態のように、立上げ片４０ｄを有する部分を下枠材１５と別体に構成して組み合わせる構成とすれば、積雪地帯にのみ立上げ片４０ｄを含む補助枠材４０を下枠材１５に取付ければよいため、立上げ片４０ｄを下枠材１５の一部として一体に形成した場合に比較し、無駄が生じることがない。
【００４１】
以上本発明を実施の形態により説明したが、本発明は、カーテンウォールがユニット式である場合にもあるいは一般住宅にも適用できる。また、本発明を実施する場合、本発明の要旨を逸脱しない範囲において、構成部材やその組み合わせについて、種々の変更、付加が可能である。
【符号の説明】
【００４２】
１：太陽電池モジュールユニット、２：カーテンウォール、３：ケーブル、４：パワーコンディショナー、５：床、６：縦枠、７，８：横枠、９：ぺアガラス、１０：ガラスパネル、１１：耐火ボード、１３：太陽電池モジュール、１４：上枠材、１５：下枠材、１６：縦枠材、１７：ユニット枠、１９：発電素子、２０：樹脂層、２１Ａ，２１Ｂ：ガラスパネル、２２Ａ，２２Ｂ：端子板、２３Ａ，２３Ｂ，２３Ｃ：ケーブル、２４Ａ，２４Ｂ：コネクタ、２５：ダイオード、２６：第１の枠材、２７：第２の枠材、２７ｄ：孔、２８：嵌合溝、３０〜３３：タッピングねじ，３４，３５：ブラケット、３６，３９：ボルト、３７：シールテープ、３８：嵌合溝、４０：補助枠材、４３：蓋、４５：ボルト、４６，４７，４８：ナット、５０：カバー、５５：固定具、５６：ボルト、５７：ナット
【図１】
2014136917.tif 000003
【図２】
2014136917.tif 000004
【図３】
2014136917.tif 000005
【図４】
2014136917.tif 000006
【図５】
2014136917.tif 000007
【図６】
2014136917.tif 000008
【図７】
2014136917.tif 000009
【図８】
2014136917.tif 000010
【図９】
2014136917.tif 000011
【図１０】
2014136917.tif 000012
【図１１】
2014136917.tif 000013
【図１２】
2014136917.tif 000014
【図１３】
2014136917.tif 000015